(57)【特許請求の範囲】
【請求項１】
参照信号を搬送する副搬送波であってＤＣ副搬送波の周波数を基準として正の周波数を有する副搬送波を、第１のスクランブリング系列を用いてスクランブリング又はデスクランブリングすることと、
前記参照信号を搬送する副搬送波であってＤＣ副搬送波の周波数を基準として負の周波数を有する副搬送波を、第２のスクランブリング系列を用いてスクランブリング又はデスクランブリングすることと、
を備える通信のための方法。
【請求項２】
請求項１の方法は、
前記ＤＣ搬送波の周波数を基準として正の周波数の副搬送波へ、周波数の小さい順に前記第１のスクランブリング系列をマップすることと、
前記ＤＣ搬送波の周波数を基準として負の周波数の副搬送波へ、周波数の大きい順に前記第２のスクランブリング系列をマップすることと、.
をさらに備える。
【請求項３】
請求項１の方法は、
基本スクランブリング系列の第１の循環桁送りに基づいて前記第１のスクランブリング系列を生成することと、
基本スクランブリング系列の第２の循環桁送りに基づいて前記第２のスクランブリング系列を生成することと、
をさらに備える。
【請求項４】
請求項１の方法は、
少なくとも１つのスクランブリング系列生成器をリセットすることと、
前記少なくとも１つのスクランブリング系列生成器を用いて前記第１のスクランブリング系列の初めのＭ個のスクランブリングビットを生成することであって、前記Ｍがシステム帯域幅に基づいて決定されることと、
前記少なくとも１つのスクランブリング系列生成器を用いて前記第２のスクランブリング系列の初めのＭ個のスクランブリングビットを生成することと、
をさらに備える。
【請求項５】
請求項１の方法は、
周波数極性パラメータについての第１の値を備える第１の系列選択器の値を決定することと、
周波数極性パラメータについての第２の値を備える第２の系列選択器の値を決定することと、
前記第１のスクランブリング系列を得るために前記第１の系列選択器の値に基づいて基本スクランブリング系列を循環桁送りすることと、
前記第２のスクランブリング系列を得るために前記第２の系列選択器の値に基づいて基本スクランブリング系列を循環桁送りすることと、
をさらに備える。
【請求項６】
参照信号を搬送する副搬送波であってＤＣ副搬送波の周波数を基準として正の周波数を有する副搬送波を、第１のスクランブリング系列を用いてスクランブリング又はデスクランブリングし、前記参照信号を搬送する副搬送波であってＤＣ副搬送波の周波数を基準として負の周波数を有する副搬送波を、第２のスクランブリング系列を用いてスクランブリング又はデスクランブリングするように構成された少なくとも１つのプロセッサ、
を備える通信のための装置。
【請求項７】
請求項６の装置において、前記少なくとも１つのプロセッサは、前記ＤＣ搬送波の周波数を基準として正の周波数の副搬送波へ、周波数の小さい順に前記第１のスクランブリング系列をマップし、前記ＤＣ搬送波の周波数を基準として負の周波数の副搬送波へ、周波数の大きい順に前記第２のスクランブリング系列をマップするように構成されている。
【請求項８】
請求項６の装置において、前記少なくとも１つのプロセッサは、基本スクランブリング系列の第１の循環桁送りに基づいて前記第１のスクランブリング系列を生成し、基本スクランブリング系列の第２の循環桁送りに基づいて前記第２のスクランブリング系列を生成するように構成されている。
【請求項９】
請求項６の装置において、前記少なくとも１つのプロセッサは、周波数極性パラメータについての第１の値を備える第１の系列選択器の値を決定し、周波数極性パラメータについての第２の値を備える第２の系列選択器の値を決定し、前記第１のスクランブリング系列を得るために前記第１の系列選択器の値に基づいて基本スクランブリング系列を循環桁送りし、前記第２のスクランブリング系列を得るために前記第２の系列選択器の値に基づいて基本スクランブリング系列を循環桁送りするように構成されている。
【請求項１０】
プロセッサが、参照信号を搬送する副搬送波であってＤＣ副搬送波の周波数を基準として正の周波数を有する副搬送波を、第１のスクランブリング系列を用いてスクランブリング又はデスクランブリングするためのコードと、
前記プロセッサが前記参照信号を搬送する副搬送波であってＤＣ副搬送波の周波数を基準として負の周波数を有する副搬送波を、第２のスクランブリング系列を用いてスクランブリング又はデスクランブリングするためのコードと、
を備えるコンピュータ可読なプログラムを記憶したコンピュータ可読記録媒体。
【請求項１１】
参照信号を搬送する副搬送波であってＤＣ副搬送波の周波数を基準として正の周波数を有する副搬送波を、第１のスクランブリング系列を用いてスクランブリング又はデスクランブリングするための手段と、
前記参照信号を搬送する副搬送波であってＤＣ副搬送波の周波数を基準として負の周波数を有する副搬送波を、第２のスクランブリング系列を用いてスクランブリング又はデスクランブリングするための手段と、
を備える通信のための装置。
【発明の詳細な説明】
【技術分野】
【０００１】
本出願は、本出願の譲受人に譲渡され、参照によりここに組み込まれる、２００７年１０月４日に出願された「通信システムにおけるスクランブリング系列生成のための方法及び装置（METHOD AND APPARATUS FOR SCRAMBLING SEQUENCE GENERATION IN A COMMUNICATION SYSTEM）」と題された米国仮出願番号第６０／９７７，６３８に対する優先権を主張する。
【０００２】
１．  分野  
本開示は、一般には通信に関し、より具体的には、通信システムにおけるスクランブリング系列生成のための手法に関する。
【０００３】
２．  背景  
通信システムは、音声、映像、パケットデータ、メッセージング、放送等のような種々の通信コンテンツを提供するために広く開発されている。これらのシステムは、利用可能なシステムリソースを共有することによって多数のユーザをサポートすることが可能な多重接続システムであり得る。このような多重接続システムの例は、符号分割多重接続（ＣＤＭＡ）システム、時分割多重接続（ＴＤＭＡ）システム、周波数分割多重接続（ＦＤＭＡ）システム、直交ＦＤＭＡ（ＯＦＤＭＡ）システム、及び単一キャリアＦＤＭＡ（ＳＣ−ＦＤＭＡ）システムが含まれる。
【０００４】
通信システムは、送信信号生成処理における種々のポイントにてスクランブリング（scrambling）を適用し得る。スクランブリングは、データをランダム化するためにスクランブリング系列を用いてデータが多重化される処理である。スクランブリング系列は、良好なスペクトル及び相関特性を有する擬似乱数（pseudo-random number：ＰＮ）列であって良い。スクランブリングは、異なる送信機間の持続的な干渉をランダム化したり、望ましくない信号スペクトル特性を回避したりする等のような種々の目的のために実行される。スクランブリングは、異なるチャネルや信号についての異なる方法にて実行され得る。全てのチャネル及び信号についてのスクランブリングを効率良く実行することが望ましい。
【発明の概要】
【０００５】
通信システムにおいてスクランブリング及びデスクランブリングを実行するための手法がここで述べられる。一態様において、異なるチャネルや信号についての異なるスクランブリング系列が基本スクランブリング系列の異なる循環桁送りに基づいて生成され得る。基本スクランブリング系列は、線形帰還シフトレジスタ（ＬＦＳＲ）を用いて生成された最大長の系列であって良い。ＬＦＳＲは、全てのサポートされたチャネル及び信号について適用され得る単一の生成多項式を与え得る。
【０００６】
１つの設計において、ＬＦＳＲは、基本スクランブリング系列を生成するために初期状態に初期化され得る。第１のスクランブリング系列は、選択された組み合わせのＬＦＳＲの出力のモジュロ２加算に基づいて生成され得る。選択された組み合わせのＬＦＳＲの出力は、チャネルについての系列選択器の値に基づいて決定されて良い。系列選択器の値は、チャネルタイプの値及びチャネルについての少なくとも１つのパラメータの値に基づいて決定されて良い。系列選択器の値は、（１）サポートされた異なるチャネル及び信号について異なる値が割り当てられ得る第１の組のビットと（２）チャネル仕様又は信号仕様のパラメータについての第２の組のビットとを備えて良い。チャネルについてのスクランブリング又はデスクランブリングは、スクランブリング系列を用いて実行されて良い。
【０００７】
別の態様において、２つのスクランブリング系列が可変のシステム帯域幅で転送された参照信号を生成するために用いられて良い。１つの設計において、２つのスクランブリング系列が基本スクランブリング系列の異なる循環桁送りに基づいて生成され得る。第１のスクランブリング系列はシステム帯域幅の中心にマップされた開始位置を有して良いし、正の周波数方向における外側に向けて横行させても良い。第２のスクランブリング系列はシステム帯域幅の中心にマップされた開始位置を有して良いし、負の周波数方向における外側に向けて横行させても良い。参照信号についての正の周波数方向についてのスクランブリング又はデスクランブリングは第１のスクランブリング系列を用いて実行されて良い。参照信号についての負の周波数方向についてのスクランブリング又はデスクランブリングは第２のスクランブリング系列を用いて実行されて良い。この設計は、システム帯域の中心におけるスクランブリング系列がシステム帯域幅に関わらずに同じであることを保証し得る。この設計は、システム帯域幅に関わらない参照信号についてのスクランブリング系列の生成を単純化もし得る。
【０００８】
本開示の種々の態様及び特徴が以下にさらに述べられる。
【図面の簡単な説明】
【０００９】
【図１】図１は無線通信システムを示す。
【図２】図２はフレーム構成の例を示す。
【図３】図３はスクランブリング系列生成器のブロック図を示す。
【図４】図４は参照信号についての２つのスクランブリング系列の使用を示す。
【図５】図５はスクランブリング又はデスクランブリングを実行するための処理を示す。
【図６】図６はスクランブリング系列を生成するための処理を示す。
【図７】図７はスクランブリング又はデスクランブリングを実行するための装置を示す。
【図８】図８は参照信号を処理するための処理を示す。
【図９】図９は参照信号を処理するための装置を示す。
【図１０】図１０はノードＢ及びＵＥのブロック図を示す。
【発明を実施するための形態】
【００１０】
ここで述べられる手法は、ＣＤＭＡ、ＴＤＭＡ、ＦＤＭＡ、ＯＦＤＭＡ、ＳＣ−ＦＤＭＡ、及びその他のシステムのような種々のワイヤライン及び無線通信システムのために用いられて良い。用語「システム」と「ネットワーク」とはしばしば同義的に用いられる。ＣＤＭＡシステムは、ＵＴＲＡ（Universal Terrestrial Radio Access）、ｃｄｍａ２０００等のような無線技術を与える。ＵＴＲＡは、ＷＣＤＭＡ（Wideband ＣＤＭＡ）やその他のＣＤＭＡの変形を含む。ｃｄｍａ２０００は、ＩＳ−２０００、ＩＳ−９５、ＩＳ−８５６規格を包含する。ＴＤＭＡシステムは、ＧＳＭ（Global System for Mobile Communications）（登録商標）のような無線技術を与える。ＯＦＤＭＡシステムは、Ｅ−ＵＴＲＡ（Evolved ＵＴＲＡ）、ＵＭＢ（Ultra Mobile Broadband）、ＩＥＥＥ８０２．１１（Ｗｉ−Ｆｉ）、ＩＥＥＥ８０２．１６（ＷｉＭＡＸ）、ＩＥＥＥ８０２．２０、フラッシュＯＦＤＭ（Ｒ）等のような無線技術を与える。ＵＴＲＡ及びＥ−ＵＴＲＡは、ＵＭＴＳ（Universal Mobile Telecommunication System）の一部である。３ＧＰＰ ＬＴＥ（Long Term Evolution）は、下り回線におけるＯＦＤＭＡと上り回線におけるＳＣ−ＦＤＭＡを用いるＥ−ＵＴＲＡとを用いるＵＭＴＳの次回の公開物である。ＵＴＲＡ、Ｅ−ＵＴＲＡ、ＵＭＴＳ、ＬＴＥ、及びＧＳＭは、「３ＧＰＰ（3rd Generation Partnership Project）」と名づけられた組織からの文献に記載されている。ｃｄｍａ２０００及びＵＭＢは、「３ＧＰＰ２（3rd Generation Partnership Project 2）」と名づけられた組織からの文献に記載されている。明瞭化のために、本手法の特定の態様はＬＴＥについて以下に述べられ、ＬＴＥの用語は以下の記載の多くで用いられる。
【００１１】
図１は、ＬＴＥである無線通信システム１００を示す。システム１００は、多数のノードＢ１１０とその他のネットワーク体を含んで良い。ノードＢは、ＵＥと通信する固定局であって良く、エボルブドノードＢ（ｅＮＢ）、基地局、アクセスポイント等と呼ばれても良い。それぞれのノードＢ１１０は、特定の地理領域のための通信範囲を提供する。システム容量を改善するために、ノードＢの全体のカバレッジエリアは、複数（例えば、３つ）の小領域に区分けされて良い。それぞれの小領域は、それぞれのノードＢサブシステムに施設され得る。３ＧＰＰにおいて、用語「セル」は、ノードＢ及び／又はこのカバレッジエリアを施設しているノードＢサブシステムの中で最小のカバレッジエリアのことを指し得る。
【００１２】
ＵＥ１２０は、システムの全体に分散されて良く、それぞれのＵＥは固定又は移動可能であって良い。ＵＥは、移動局、端末、アクセス端末、加入者装置、局等と呼ばれても良い。ＵＥは、携帯電話機、携帯情報端末（ＰＤＡ）、無線モデム、無線通信装置、手持ち型装置、ラップトップコンピュータ、コードレス電話等であって良い。ＵＥは、ノードＢと上り回線及び下り回線を介して通信することができる。下り回線（即ち順方向回線）はノードＢからＵＥへの通信回線のことを指し、上り回線（即ち逆方向回線）はＵＥからノードＢへの通信回線のことを指す。
【００１３】
ＬＴＥは、下り回線における直交周波数分割多重方式（ＯＦＤＭ）と上り回線における単一キャリア周波数分割多重方式（ＳＣ−ＦＤＭ）とを使用する。ＯＦＤＭ及びＳＣ−ＦＤＭは、システム帯域幅を、一般にトーン、ビン等とも呼ばれる複数個（Ｋ個）の直交サブキャリアに区分けする。それぞれのサブキャリアは、データを用いて変調され得る。一般に、変調シンボルは、ＯＦＤＭを用いて周波数領域にて送信され、ＳＣ−ＦＤＭを用いて時間領域にて送信される。隣接するサブキャリアの間の空きは固定され得て、サブキャリアの総数（Ｋ）はシステム帯域幅に依存し得る。例えば、Ｋは、１.２５、２.５、５、１０、又は２０ＭＨｚのシステム帯域幅に対して、それぞれ、１２８、２５６、５１２、１０２４、又は２０４８と等しくて良い。
【００１４】
Ｋ個の総サブキャリアは、リソースブロックにグループ化され得る。それぞれのリソースブロックは、１個のスロット内にＮ個のサブキャリア（例えば、Ｎ＝１２個のサブキャリア）を含み得る。利用可能なリソースブロックは、トラフィックデータ及び制御情報の送信のためにＵＥに割り当てられている。
【００１５】
図２は、ＬＴＥにおいて用いられるフレーム構造の例を示す。下り回線についての送信タイムラインは、無線フレームの単位に区分けされ得る。それぞれの無線フレームは、所定期間（例えば、１０ミリ秒（ｍｓ））を有して良く、０から９で示される１０個のサブフレームに区分けされて良い。それぞれのサブフレームは２個のスロットを含んで良く、それぞれのスロットはＬ個のシンボル周期、例えば拡張サイクリックプレフィックス（cyclic prefix：ＣＰ）についてのＬ＝６個のシンボル周期又は通常サイクリックプレフィックスについてのＬ＝７個のシンボル周期を含んで良い。それぞれのサブフレームにおける２Ｌ個のシンボル周期は、０から２Ｌ−１の見出しが割り当てられ得る。
【００１６】
本システムは、下り回線及び上り回線においてデータ及び制御情報を送信するために種々のチャネルをサポートし得る。システムは、種々の目的のために用いられる参照信号及びその他の信号をもサポートし得る。表１は、１つの設計に従ったシステムによってサポートされ得る幾つかのチャネル及び信号を一覧にしたものである。本システムは、他のチャネル及び／又は信号をもサポートし得る。参照信号は、既知のデータに基づいて生成された信号であり、パイロット、プリアンブル、トレーニング、サウンディング等とも呼ばれ得る。（セル特定参照信号とも呼ばれ得る）下り回線参照信号は、以下に述べるように、１以上の擬似ランダム系列（pseudo-random sequences：ＰＲＮ）を用いて生成され得る。  
【表１】
0005657618.tif 000002
【００１７】
スクランブリングは、表１に示したような種々のチャネル及び信号について送信機で実行される。幾つかのチャネル／信号については、チャネル又は信号が占有するリソース要素又はブロックと関連付けられたスクランブリング系列を有することが望ましいだろう。他のチャネル／信号については、占有されたリソース要素又はブロックと関連付けられていないスクランブリング系列を有することがより良いだろう。
【００１８】
デスクランブリングは、送信機によって実行されたスクランブリングを元に戻すために受信機において実行され得る。デスクランブリングは、スクランブリングのために送信機において用いられたスクランブリング系列と同じものを用いて実行され得る。異なるチャネル／信号についてのスクランブリング系列を効率良く生成することが望ましい。
【００１９】
１つの態様において、異なるチャネル／信号についてのスクランブリング又はデスクランブリングのために用いられ得るスクランブリング系列の生成の設計が述べられる。基本スクランブリング系列は、系列の異なる桁送りが十分に相関がなくなるように生成され得る。基本スクランブリング系列の異なる循環桁送りは、異なるチャネル及び信号について用いられ得る。
【００２０】
１つの設計において、一般にｍ系列と呼ばれる２値の最大長の系列が、基本スクランブリング系列として用いられ得る。ｍ系列は、所定の次数Ｑに対してＬ＝２Ｑ−１の可能な最大長を有している。ｍ系列は、基本の多項式を与える線形帰還シフトレジスタ（ＬＦＳＲ）を用いて生成され得る。ｍ系列の長さは、十分に長くするべきである。１つの設計において、５０ビットのＬＦＳＲが、２５０−１の長さを用いてｍ系列を生成するために用いられ得る。ｍ系列についての生成多項式Ｇ（ｘ）は、  
Ｇ（ｘ）＝ｘ５０＋ｇ４９・ｘ４９＋ｇ４８・ｘ４８＋…＋ｇ２・ｘ２＋ｇ１・ｘ＋１、  
式（１）  
として表現され、ここでｇ１からｇ４９はそれぞれ生成多項式の係数であり、ｘ１からｘ５０はそれぞれＬＦＳＲにおける１番目から最終番目の遅延の出力である。
【００２１】
式（１）は、生成多項式Ｇ（ｘ）の一般的な形式を示す。係数ｇｉ、ここでｉは１、…、４９のそれぞれは、‘１’又は‘０’と等しくし得る。異なる生成多項式は、４９個の係数ｇ１からｇ４９について異なる組の値を用いて定義され得る。
【００２２】
一般に、任意の適当な次数の生成多項式Ｇ（ｘ）は、基本スクランブリング系列について用いられ得る。同じ生成多項式Ｇ（ｘ）は、ＬＦＳＲを再設定する必要を回避し得る全てのチャネル及び信号について用いられ得る。ＬＦＳＲは、全てのチャネル及び信号について同じ初期状態に設定され得る。基本スクランブリング系列の異なる循環桁送りは、異なる組み合わせのＬＦＳＲの出力をモジュロ２合計することによって得られ得る。モジュロ２合計に含めるための特定のＬＦＳＲの出力は所望の循環桁送りによって決定される。あるいは、所望の循環桁送りは、異なる初期状態を設定すること及び特定の組み合わせのＬＦＳＲの出力をモジュロ２合計することによって達成されても良い。１以上のＬＦＳＲが用いられても良く、生成された出力が所望のスクランブリング系列を得るためにモジュロ２合計されて良い。
【００２３】
図３は、式（１）に示す生成多項式を与えるスクランブリング系列生成器３００のブロック図を示す。生成器３００は、（ＰＮ生成器とも呼ばれる）ＬＦＳＲ３１０と（マスクユニットとも呼ばれる）循環桁送りユニット３２０とを含む。ＬＦＳＲ３１０内では、それぞれが１つの遅延のサンプル周期を与える５０個の遅延ユニット３１２−１から３１２−５０が直列に接続されている。１番目の遅延ユニット３１２−１は、モジュロ２加算ユニット３１６の出力に接続された入力を有している。残りの遅延ユニットのそれぞれは、１つ前の遅延ユニットの出力に接続された入力を有している。初めの４９個の遅延ユニット３１２−１から３１２−４９は、それぞれ、その出力を乗算器３１４−１から３１４−４９にも与える。最後の遅延ユニット３１２−５０は、その出力を直接モジュロ２加算ユニットに与える。それぞれの乗算器３１４は、入力にそれぞれの係数ｇｉを乗算し、その出力をモジュロ２加算ユニット３１６に与える。図３は、４９個の係数ｇ１からｇ４９に対しての４９個の乗算器３１４−１から３１４−４９を示す。それぞれの乗算器３１４は、係数ｇｉが‘１'の場合に存在し、係数が‘０’の場合に（接続なしとするために）省略され得る。ユニット３１６は、全ての入力のモジュロ２加算を実行し、１番目の遅延ユニット３１２−１にフィードバックされる基本スクランブリング系列を与える。
【００２４】
循環桁送りユニット３２０内では、５０個のＡＮＤゲート３２２−１から３２２−５０が、それぞれ、５０個の遅延ユニット３１２−１から３１２−５０の出力を受ける。５０個のＡＮＤゲート３２２−１から３２２−５０は、それぞれ、系列選択器の５０個のビットｍ０からｍ４９も受ける。系列選択器は、循環桁送りの量と、基本スクランブリング系列の異なる循環桁送りに対応した異なる５０個の選択器ビットｍ０からｍ４９とを決定する。それぞれのＡＮＤゲート３２２は、２つの入力の論理ＡＮＤ演算を実行し、その出力をモジュロ２加算ユニット３２４に与える。ユニット３２４は、５０個の入力の全てのモジュロ２加算を実行し、選択された循環桁送りでのスクランブリング系列を与える。
【００２５】
スクランブリング系列生成器３００は、スクランブリングのアプリケーション毎の開始時においてリセットされて良い。例えば、スクランブリング系列生成器３００は、下り回線参照信号についてのそれぞれのシンボル周期においてや、ＰＤＳＣＨで転送された符号ブロック毎等において一旦リセットされて良い。２値の符号化ビットのスクランブリングのために、１つのスクランブリングビットがそれぞれの符号化ビットについて生成されて良く、それぞれの符号化ビットがスクランブルされたビットを生成するためにスクランブリングビットと乗算されても良い。デスクランブリングのために、それぞれのスクランブルされたビットが、対応した符号化ビットを得るためにスクランブリングビットと乗算されても良い。
【００２６】
異なるチャネル及び信号についてのスクランブリング系列は、合計するために異なるＬＦＳＲの出力を選択することによって個別に扱われ得る。式（１）及び図３に示す設計において、５０個の遅延ユニット３１２−１から３１２―５０は、２５０個の異なる循環桁送りを得るために用いられ得る５０個の選択器ビットをサポートする。５０個の選択器ビットは、種々の方法で異なるチャネル及び信号に対して割り当てられ得る。表２は、５０個の選択器ビットを割り当てる１つの設計を示す。  
【表２】
0005657618.tif 000003
【００２７】
表２に示される設計において、５０個の選択器ビットは、初めの２ビットが予備であり、次の４ビットがチャネル／信号タイプについてであり、残りの４４ビットがチャネル／信号仕様のパラメータについてであるように分割される。
【００２８】
表３は、１つの設計に従った、異なるチャネル／信号タイプについての４個の選択器ビットｍ４４からｍ４７の値を与える。  
【表３】
0005657618.tif 000004
【００２９】
１０ｍｓの周期性は、通常サイクリックプレフィックス及び拡張サイクリックプレフィックスを用いたＰＲＳ、ＰＤＣＣＨ、ＰＤＳＣＨ、及びＰＵＳＣＨについて仮定され得る。４０ｍｓの周期性は、ＰＢＣＨについて仮定され得る。１０、２０、４０ｍｓの周期性は、ＰＣＦＩＣＨ、ＰＨＩＣＨ、ＰＭＣＨについて仮定され得る。
【００３０】
表４は、１つの設計に従った、通常サイクリックプレフィックス及び拡張サイクリックプレフィックスを用いたＰＲＳについての信号仕様のフィールドを与える。Ｃｅｌｌ＿ＩＤのパラメータは、下り回線参照信号を送信するセルについてのセル識別子（ＩＤ）を示す。ＳＳＣ＿ＩＤのパラメータは、利用可能な２次同期コード（ＳＳＣ）系列の組の中の特定のＳＳＣ系列を示す。Ａｎｔｅｎｎａ＿ＩＤのパラメータは、ノードＢにおける特定のアンテナを示す。Ｓｕｂｆｒａｍｅ＿ＩＤのパラメータは、無線フレーム内の１０個のサブフレームの中の特定のサブレフレームを示す。Ｓｙｍｂｏｌ＿ＩＤのパラメータは、サブフレーム内の１２又は１４個のＯＦＤＭＡシンボルの中の特定のＯＦＤＭＡシンボルを示す。Ｆｒｅｑｕｅｎｃｙ＿＋／−のパラメータは、以下に述べるように、スクランブリング系列が正の周波数についてのものか負の周波数についてのものかを示す。  
【表４】
0005657618.tif 000005
【００３１】
表５は、１つの設計に従った、ＰＤＣＣＨ及びＰＤＳＣＨについてのチャネル仕様のフィールドを与える。ＵＥ  ＭＡＣ＿ＩＤのパラメータは、ＵＥに割り当てられたミディアムアクセスコントロール（ＭＡＣ）ＩＤを示す。Ｓｔｒｅａｍ＿ＩＤのパラメータは、ＰＤＳＣＨで転送されたデータストリームを示す。Ｃｏｄｅ＿Ｂｌｏｃｋ＿ＩＤのパラメータは、ＰＤＳＣＨで転送された特定の符号ブロックを示す。表５における設計は、ＰＤＳＣＨについてのＣｅｌｌ＿ＩＤ及びＵＥ  ＭＡＣ＿ＩＤの関数としてのスクランブリングをサポートする。
【表５】
0005657618.tif 000006
【００３２】
表６は、１つの設計に従った、ＰＢＣＨ及びＰＣＦＩＣＨについてのチャネル仕様のフィールドを与える。Ｆｒａｍｅ＿ＩＤのパラメータは、特定の無線フレームを示す。  
【表６】
0005657618.tif 000007
【００３３】
表７は、１つの設計に従った、ＰＨＩＣＨ及びＰＭＣＨについてのチャネル仕様のフィールドを与える。  
【表７】
0005657618.tif 000008
【００３４】
表８は、１つの設計に従った、ＰＵＳＣＨについてのチャネル仕様のフィールドを与える。  
【表８】
0005657618.tif 000009
【００３５】
上述した設計において、チャネル又は信号についてのスクランブリング系列は、チャネル又は信号のパラメータ／属性についてのパラメータの値の組を備え得る系列選択器の値に基づいて生成され得る。スクランブリング系列の時間周期は、系列選択器についてのパラメータの組にシンボルＩＤ、スロットＩＤ、サブフレームＩＤ、フレームＩＤ等を含めることによって柔軟に制御され得る。スクランブリング系列は、系列選択器についてのパラメータの組にリソース要素／ブロックの指標を含めること又は除外することにより、リソース要素又はブロックと関連付けされても良いし関連付けされなくても良い。
【００３６】
ここで述べられるスクランブリング系列生成器は、対象となる全てのチャネル及び信号についてのスクランブリング系列の生成を単純化し得る。スクランブリング系列生成器は、現在のチャネル及び信号はもちろん、将来的に追加され得る新たなチャネル及び信号も同様にスクランブリング系列を生成できる。新たなチャネル、信号、及び／又はパラメータは、新たなチャネル、信号、及び／又はパラメータを伝達するための予備の値の幾つかを用いることによってサポートされ得る。
【００３７】
１つの設計において、単一のスクランブリング系列生成器は、全てのチャネル及び信号についてのスクランブリング系列を生成するために用いられ得る。スクランブリング系列生成器は、最長のスクランブリング系列に対して必要に応じて何度でも時間測定がなされて良い。より短いスクランブリング系列のためには、所望の長さについての初期部分のみが生成され得る。別の設計において、スクランブリング系列生成器の多数の例が実施され得て、それぞれのスクランブリング系列生成器は、１以上のチャネル及び／又は信号をサポートし得る。この設計は、特定のハードウェア構成についてより適したものとなり得る。
【００３８】
別の態様において、２つのスクランブリング系列が、可変のシステム帯域幅で転送され得る下り回線参照信号を生成するために用いられ得る。例えば、システム帯域幅は、ＬＴＥにおいて、１.２５、２.５、５、１０、２０ＭＨｚであって良い。下り回線参照信号についてのスクランブリング系列に対しては入れ子構造を有することが望ましいだろう。例えば、１０ＭＨｚのシステム帯域幅についてのスクランブリング系列は、２０ＭＨｚのシステム帯域幅についてのスクランブリング系列の中心部分と一致させるべきである。
【００３９】
１つの設計において、２つのスクランブリング系列が、下り回線参照信号について生成され得、系列選択器中のＦｒｅｑｕｅｎｃｙ＿＋／−のビットによって区別され得る。スクランブリング系列は、下り回線参照信号を生成するためにＰＲＳ系列として用いられ得る。第１のスクランブリング系列は‘正の周波数’をスクランブルするために用いられ得て、第２のスクランブリング系列は‘負の周波数’をスクランブルするために用いられ得る。
【００４０】
図４は、下り回線参照信号についての２つのスクランブリング系列の生成の設計を示す。第１のスクランブリング系列は、Ｎ個のスクランブリングビットｕ０からｕＮ−１を含み、ここでＮは最も広いシステム帯域幅である２０ＭＨｚに対して必要とされるスクランブリングビットの最大個数である。第２のスクランブリング系列は、Ｎ個のスクランブリングビットｖ０からｖＮ−１を含む。第１のスクランブリング系列は、表４に示されるパラメータと‘１’に設定されたＦｒｅｑｕｅｎｃｙ＿＋／−とを用いて生成され得る。第２のスクランブリング系列は、‘０’に設定されたＦｒｅｑｕｅｎｃｙ＿＋／−を除いて同じパラメータを用いて生成され得る。
【００４１】
下り回線参照信号を生成するために、第１のスクランブリング系列は、最低の正の周波数から開始する正の周波数をスクランブルするために用いられ得る。中心、即ちＤＣの副搬送波は典型的には用いられない。第１のスクランブリング系列は、図４に示されるように、周波数を増加させる目的で下り回線参照信号について用いられた副搬送波へマップされ得る。第２のスクランブリング系列は、最高の負の周波数、即ちＤＣの副搬送波に最も近い副搬送波から開始する‘負の周波数’をスクランブルするために用いられ得る。第２のスクランブリング系列は、逆方向における下り回線参照信号に対して用いられた副搬送波へマップされ得る。
【００４２】
図４に示されるように、２０ＭＨｚのシステム帯域幅については、第１のスクランブリング系列の全体が用いられ得て、Ｎ個のスクランブリングビットｕ０からｕＮ−１の全てが下り回線参照信号について用いられたＮ個の正の副搬送波へマップされ得る。第２のスクランブリング系列も全体が用いられ得て、Ｎ個のスクランブリングビットｖ０からｖＮ−１の全てが下り回線参照信号について用いられたＮ個の負の副搬送波へマップされ得る。２０ＭＨｚよりも低いシステム帯域幅については、第１のスクランブリング系列の初期部分が用いられ得て、Ｍ個のスクランブリングビットｕ０からｕＭ−１は下り回線参照信号について用いられたＭ個の正の副搬送波へマップされ得る。第２のスクランブリング系列も初期部分が用いられ得て、Ｍ個のスクランブリングビットｖ０からｖＭ−１が下り回線参照信号について用いられたＭ個の負の副搬送波へマップされ得る。Ｍは、システム帯域幅に依存して良く、Ｎよりも小さくて良い。
【００４３】
図４に示されるスクランブリング系列の生成の設計は、システム帯域幅の中心におけるスクランブリング系列がシステム帯域幅によらずに同じであることを保証する。さらに、この設計は、下り回線参照信号を搬送するそれぞれのＯＦＤＭＡシンボルにおいて生成されるべき第１及び第２のスクランブリング系列の全体を要求しない。図４に示すように、第１及び第２のスクランブリング系列の開始位置をシステム帯域幅の中心にマップし、正と負の周波数方向の両方の外側に向けて横行させることによって、実際に用いられたスクランブリングビットのみが生成される。この設計は、スクランブリング系列の生成を単純化し、冗長な動作を回避し得る。この設計は、異なるシステム帯域幅、下り回線参照信号についての異なる数の副搬送波、及び異なるスクランブリング系列の長さをも効率良くサポートし得る。
【００４４】
図４における設計は、同時に、下り回線参照信号の正及び負の周波数部分についての第１及び第２のスクランブリング系列の生成をも可能とし得る。スクランブリング系列が非常に長い場合にはスクランブリング系列が複数の部分に分割されて良く、スクランブリング系列の異なる部分は多数の例のスクランブリング系列を用いて並列に処理されて良い。メモリは、それぞれの部分についてのスクランブリング生成器についての初期のＬＦＳＲの状態を記憶し得る。
【００４５】
代わりの設計において、長さ２Ｎの単一のスクランブリング系列が、下り回線参照信号を生成するために用いられ得る。このスクランブリング系列の開始位置は、左端の（即ち最も負の）周波数にマップされて良く、スクランブリング系列は右端の（即ち最も正の）周波数に向けて横行させて良い。この設計においては、システム帯域幅に依存する切捨て量を用いて、スクランブリング系列の初期部分が切り捨てられ得る。この設計は、本質的には、２０ＭＨｚに対する全体のスクランブリング系列を生成し、特定のシステム帯域幅のために必要とされるような可変長の中心部分のみを用いる。この設計は、生成されたスクランブリングビットの一部が廃棄されるのでより多くのオーバーヘッドを要求し得る。
【００４６】
図５は、通信システム中の送信機におけるスクランブリング又は受信機におけるデスクランブリングを実行するための処理５００の設計を示す。処理５００は、ノードＢ、ＵＥ、又はその他によって実行され得る。
【００４７】
ＬＦＳＲは、基本スクランブリング系列を生成するために初期状態に初期化され得る（ブロック５１２）。基本スクランブリング系列の第１の循環桁送りを含む第１のスクランブリング系列が、選択された組み合わせのＬＦＳＲの出力のモジュロ２加算に基づいて生成され得る（ブロック５１４）。基本スクランブリング系列によってサポートされたチャネル或いは信号の組の１つである第１のチャネルについてのスクランブリング又はデスクランブリングが第１のスクランブリング系列を用いて実行され得る（ブロック５１６）。基本スクランブリング系列の第２の循環桁送りを含む第２のスクランブリング系列も、選択された組み合わせのＬＦＳＲの出力のモジュロ２加算に基づいて生成され得る。第１及び第２のスクランブリング系列は、異なるＬＦＳＲの出力の組み合わせに基づいて並列に生成されて良い。第２のチャネル又は参照信号についてのスクランブリング又はデスクランブリングは第２のスクランブリング系列を用いて実行され得る。
【００４８】
ブロック５１２の１つの設計において、ＬＦＳＲは、全てのサポートされたチャネル及び信号について適用される単一の生成多項式を与え得る。ＬＦＳＲは、第１のチャネルについてのスクランブリング又はデスクランブリングのアプリケーションのそれぞれについてリセットされ得る。ＬＦＳＲは、全てのサポートされたチャネル及び信号について同じ初期状態に初期化され得る。
【００４９】
図６は、第１のスクランブリング系列を生成するための処理６００の設計を示す。処理６００は、図５におけるブロック５１４の１つの設計である。第１のチャネルについてのチャネルタイプの値が決定され得る（ブロック６１２）。第１のチャネルの少なくとも１つのパラメータについての少なくとも１つのパラメータの値も決定され得る（ブロック６１４）。第１のチャネルについての系列選択器の値もチャネルタイプの値及び少なくとも１つのパラメータの値に基づいて決定され得る（ブロック６１６）。モジュロ２加算を実行するためのＬＦＳＲの出力の組み合わせが系列選択器の値に基づいて決定され得る（ブロック６１８）。第１のスクランブリング系列は、（１）系列選択器の値に基づいてＬＦＳＲの出力ビットのそれぞれを選択又は非選択すること、（２）選択されたＬＦＳＲの出力ビットを第１のスクランブリング系列を得るためにモジュロ２加算を用いて合計することによって得られ得る。
【００５０】
系列選択器の値は、基本スクランブリング系列によってサポートされた異なるチャネル及び信号について異なる値が割り当てられ得る第１のビットの組を備えて良い。系列選択器の値は、チャネル仕様又は信号仕様のパラメータについての第２のビットの組を備えても良い。サポートされたチャネル及び信号は、放送チャネル、マルチキャストチャネル、下り回線共有チャネル、下り回線制御チャネル、上り回線共有チャネル、上り回線制御チャネル、参照信号、その他のチャネル又は信号、又はそれらの任意の組み合わせを含んで良い。チャネル仕様又は信号仕様のパラメータは、セルＩＤ、アンテナＩＤ、フレームＩＤ、サブフレームＩＤ、シンボルＩＤ、ＵＥＩＤ、ストリームＩＤ、符号ブロックＩＤ、その他のパラメータ、又はそれらの任意の組み合わせを含んで良い。
【００５１】
図７は、通信システムにおいてスクランブリング又はデスクランブリングを実行するための装置７００の設計を示す。装置７００は、基本スクランブリング系列を生成するためにＬＦＳＲを初期状態に初期化するためのモジュール７１２と、基本スクランブリング系列の第１の循環桁送りを含む第１のスクランブリング系列を選択された組み合わせのＬＦＳＲの出力のモジュロ２加算に基づいて生成するためのモジュール７１４と、基本スクランブリング系列によってサポートされたチャネルの組の１つである第１のチャネルについてのスクランブリング又はデスクランブリングを第１のスクランブリング系列によって実行するためのモジュール７１６とを含む。
【００５２】
図８は、参照信号を処理するための処理８００の設計を示す。処理８００は、ノードＢ、ＵＥ、又はその他によって実行され得る。第１のスクランブリング系列が基本スクランブリング系列の第１の循環桁送りに基づいて生成され得る（ブロック８１２）。第２のスクランブリング系列が基本スクランブリング系列の第２の循環桁送りに基づいて生成され得る（ブロック８１４）。第１のスクランブリング系列は、システム帯域幅の中心にマップされた開始位置を有し得、例えば図４に示されるように正の周波数方向における外側に向けて横行させ得る（ブロック８１６）。第２のスクランブリング系列は、システム帯域幅の中心にマップされた開始位置を有し得、例えば図４に示されるように負の周波数方向における外側に向けて横行させ得る（ブロック８１８）。参照信号に対する正の周波数についてのスクランブリング又はデスクランブリングが、第１のスクランブリング系列を用いて実行され得る（ブロック８２０）。参照信号に対する負の周波数についてのスクランブリング又はデスクランブリングが、第２のスクランブリング系列を用いて実行され得る（ブロック８２２）。
【００５３】
ブロック８１２及び８１４の１つの設計において、周波数極性のパラメータ（例えば、Ｆｒｅｑｕｅｎｃｙ＿＋／−のパラメータ）についての第１の値を備える第１の系列選択器の値が決定され得る。周波数極性のパラメータについての第２の値を備える第２の系列選択器の値も決定され得る。基本スクランブリング系列は、第１のスクランブリング系列を得るために第１の系列選択器の値に基づいて循環桁送りされ得る。基本スクランブリング系列は、第２のスクランブリング系列を得るために第２の系列選択器の値に基づいても循環桁送りされ得る。
【００５４】
ブロック８１２及び８１４の１つの設計において、少なくとも１つのスクランブリング系列生成器は、開始位置にリセットされ得る。第１のスクランブリング系列の初めのＭ個のスクランブリングビットは１つ（或いは複数）のスクランブリング系列生成器を用いて生成され得て、ここでＭはシステム帯域幅に基づいて決定される。第２のスクランブリング系列の初めＭ個のスクランブリングビットも１つ（或いは複数）のスクランブリング系列生成器を用いて生成され得る。
【００５５】
図９は、参照信号を処理するための装置９００の設計を示す。装置９００は、基本スクランブリング系列の第１の循環桁送りに基づいて第１のスクランブリング系列を生成するためのモジュール９１２と、基本スクランブリング系列の第２の循環桁送りに基づいて第２のスクランブリング系列を生成するためのモジュール９１４と、第１のスクランブリング系列の開始位置をシステム帯域幅の中心にマップするとともに正の周波数方向における外側に向けて横行させるモジュール９１６と、第２のスクランブリング系列の開始位置をシステム帯域幅の中心にマップするとともに負の周波数方向における外側に向けて横行させるモジュール９１８と、第１のスクランブリング系列を用いて参照信号に対する正の周波数についてのスクランブリング又はデスクランブリングを実行するモジュール９２０と、第２のスクランブリング系列を用いて参照信号に対する負の周波数についてのスクランブリング又はデスクランブリングを実行するモジュール９２２とを含む。
【００５６】
図７及び９におけるモジュールは、プロセッサ、電子機器、ハードウェア機器、電子部品、論理回路、メモリ等、又はそれらの任意の組み合わせを備え得る。
【００５７】
図１０は、図１に示す１つのノードＢ１１０及び１つのＵＥ１２０の設計のブロック図を示す。この設計において、ノードＢ１１０はＴ個のアンテナ１０３４ａから１０３４ｔが備え付けられ、ＵＥ１２０はＲ個のアンテナ１０５２ａから１０５２ｒが備え付けられ、ここでＴ≧１及びＲ≧１である。
【００５８】
ノードＢ１１０において、送信プロセッサ１０２０は、データソース１０１２から１以上のＵＥについてのトラフィックデータを受信し、それぞれのＵＥに対して選択された１以上の変調及び符号化スキームに基づいてそれぞれのＵＥについてのトラフィックデータを処理し、共有／データチャネルについてのシンボルを与え得る。送信プロセッサ１０２０は、放送及びマルチキャストデータを受信及び処理し、放送及びマルチキャストチャネルについてのシンボルを与え得る。送信プロセッサ１０２０は、コントローラ／プロセッサ１０４０からの制御情報をも受信及び処理し、制御チャネルについてのシンボルを与え得る。送信プロセッサ１０２０は、参照信号、同期信号等についてのシンボルをも生成し得る。送信プロセッサ１０２０は、上述したような異なるチャネル及び信号についてのスクランブリングを実行し得る。
【００５９】
送信（ＴＸ）  多重入力−多重出力（ＭＩＭＯ）プロセッサ１０３０は、異なるチャネル及び信号についてのシンボルを多重化し得る。ＴＸ  ＭＩＭＯプロセッサ１０３０は、適用できる場合には、多重化されたシンボルの空間処理（例えばプレコーディング）を実行し、Ｔ個の出力シンボルストリームをＴ個の変調器（ＭＯＤ）１０３２ａから１０３２ｔに与え得る。それぞれの変調器１０３２は、出力サンプルストリームを得るためにそれぞれの出力シンボルストリーム（例えばＯＦＤＭについての）を処理し得る。それぞれの変調器１０３２は、さらに、下り回線信号を得るために出力サンプルストリームを処理（例えばアナログに変換、増幅、フィルタ、アップコンバート）し得る。変調器１０３２ａから１０３２ｔまでからのＴ個の下り回線信号は、それぞれ、Ｔ個のアンテナ１０３４ａから１０３４ｔを介して送信され得る。
【００６０】
ＵＥ１２０において、アンテナ１０５２ａから１０５２ｒは、ノードＢからの下り回線信号を受信し、受信信号を復調器（ＤＥＭＯＤ）１０５４ａから１０５４ｒにそれぞれ与え得る。それぞれの復調器１０５４は、入力サンプルを得るためにそれぞれの受信信号の条件設定（例えば、フィルタ、増幅、ダウンコンバート、デジタル化）をし、さらに受信シンボルを得るために入力サンプル（例えばＯＦＤＭについての）を処理し得る。ＭＩＭＯ検出器１０５６は、Ｒ個の復調器１０５４ａから１０５４ｒまでの全てからの受信シンボルを得て、適用できる場合には受信シンボルのＭＩＭＯ検出を実行し、検出されたシンボルを与え得る。受信プロセッサ１０５８は、検出されたシンボルを処理（復調、デインターリーブ、復号）し、ＵＥ１２０のために復号されたデータをデータシンク１０６０に与え、復号された制御情報をコントローラ／プロセッサ１０８０に与え得る。
【００６１】
上り回線では、ＵＥ１２０において、データソース１０６２からのトラフィックデータ及びコントローラ／プロセッサ１０８０からの制御情報が、送信プロセッサ１０６４によって処理され、さらに適用できる場合にはＴＸ  ＭＩＭＯプロセッサ１０６６によって処理され、復調器１０５４ａから１０５４ｒによって条件設定され、ノードＢに送信され得る。ノードＢ１１０において、ＵＥ１２０からの上り回線信号が、アンテナ１０３４によって受信され、復調器１０３２によって条件設定され、適用できる場合にはＭＩＭＯ検出器１０３６によって処理され、さらにＵＥ１２０によって送信されたトラフィックデータ及び制御情報を得るために受信プロセッサ１０３８によって処理され得る。
【００６２】
コントローラ／プロセッサ１０４０及び１０８０は、それぞれ、ノードＢ１１０及びＵＥ１２０における動作を管理し得る。メモリ１０４２及び１０８２は、それぞれ、ノードＢ１１０及びＵＥ１２０についてのデータ及びプログラムコードを記憶し得る。スケジューラ１０４４は、下り回線及び／又は上り回線の送信のためにＵＥをスケジュール管理し、スケジュール管理されたＵＥについてのリソースの割り当てを与え得る。
【００６３】
図５におけるプロセッサ５００、図６における処理６００、図８における処理８００、及び／又はここで述べられた手法についてのその他の処理は、ノードＢ１１０における１以上のプロセッサ及びＵＥ１２０における１以上のプロセッサによって実行され得る。例えば、送信プロセッサ１０２０及び１０６４はスクランブリングのための処理５００及び／又は６００を実行し、受信プロセッサ１０３８及び１０５８はデスクランブリングのための処理５００及び／又は６００を実行し得る。送信プロセッサ１０２０は下り回線参照信号のスクランブリングのための処理８００をも実行し、受信プロセッサ１０５８は下り回線参照信号のデスクランブリングのための処理８００をも実行し得る。
【００６４】
当業者は、情報及び信号が種々の異なる技術及び手法の何れを用いて表されて良いことを理解するであろう。例えば、上述した記載全体を通して参照され得るデータ、指示、命令、情報、信号、ビット、シンボル、及びチップは、電圧、電流、電磁波、磁場又は磁性粒子、光の場又は光学粒子、又はそれらの任意の組み合わせによって表されて良い。
【００６５】
当業者は、さらに、ここの開示に関連して述べられた種々の実例となる論理ブロック、モジュール、回路、アルゴリズムステップが、電子ハードウェア、コンピュータソフトウェア、又は両方の組み合わせで実施され得ることを理解するだろう。このハードウェアとソフトウェアの互換性を明瞭に説明するために、種々の実例となる部品、ブロック、モジュール、回路、及びステップが、一般にそれらの機能性の点から上述されている。そのような機能性がハードウェア又はソフトウェアとして実現されるかは、特定のアプリケーション及び全体のシステムに課せられた制約に依存する。熟達した職人は、それぞれの特定のアプリケーションについて、上述された機能性を変形した方法で実施することができるが、そのような実施の判断は、本開示の範囲から逸脱すると解釈されるべきではない。
【００６６】
ここでの開示に関連して述べられた種々の実例となる論理ブロック、モジュール、及び回路は、汎用プロセッサ、デジタル信号プロセッサ（ＤＳＰ）、特定用途向け集積回路（ＡＳＩＣ）、フィールドプログラマブルゲートアレイ（ＦＰＧＡ）、又はその他のプログラマブル論理装置、ディスクリートゲート又はトランジスタロジック、ディスクリートハードウェアコンポーネント、又はここで述べられた機能を実行するように設計されたものの任意の組み合わせを用いて実施又は実行されて良い。汎用プロセッサは、マイクロプロセッサであって良いが、別の方法としては任意の一般的なプロセッサ、コントローラ、マイクロコントローラ、又はステートマシンであって良い。プロセッサは、計算装置の組み合わせ、例えばＤＳＰとマイクロプロセッサや、複数のマイクロプロセッサ、ＤＳＰコアと接続された１以上のマイクロプロセッサ、又は他のそのような組み合わせとして実施されても良い。
【００６７】
ここでの開示に関連して述べられた方法又はアルゴリズムのステップは、ハードウェアにおいて、プロセッサによって実行されるソフトウェアモジュールにおいて、又は両者の組み合わせにおいて直接具現化されて良い。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、又は技術的に既知のその他の記憶媒体に存して良い。典型的な記憶媒体は、記憶媒体から情報を読み出すとともに記憶媒体に情報を書き込むことができるようなプロセッサに接続される。別の方法としては、記憶媒体はプロセッサに集積されて良い。プロセッサと記憶媒体はＡＳＩＣに存して良い。ＡＳＩＣは、ユーザ端末に存して良い。別の方法としては、プロセッサと記憶媒体とはユーザ端末内のディスクリートコンポーネントとして存して良い。
【００６８】
１以上の典型的な設計において、述べられた機能は、ハードウェア、ソフトウェア、ファームウェア、又はそれらの任意の組み合わせにおいて実現され得る。ソフトウェアにおける実施の場合には、それらの機能は、コンピュータ読み取り可能な媒体における１以上の指示又はコードとして記憶されて又は送信されて良い。コンピュータ読み取り可能な媒体は、コンピュータ記憶媒体と１つ場所から別の場所へのコンピュータプログラムの転送を容易にする任意の媒体を含む通信媒体との双方を含む。記憶媒体は、汎用の又は特殊用途のコンピュータによってアクセスされ得る任意の利用可能な媒体であって良い。例としては、制限ではないが、そのようなコンピュータ読み取り可能な媒体は、ＲＡＭ、ＲＯＭ、ＥＥＰＲＯＭ、ＣＤ−ＲＯＭ又はその他の光ディスク記憶装置、磁気ディスク記憶装置又はその他の磁気記憶装置、又は指示又はデータ構造の形式での所望のプログラムコード手段を搬送又は記憶するために用いられて汎用の又は特殊用途のコンピュータによってアクセスされ得る他の任意の媒体を備え得る。また、任意の接続がコンピュータ読み取り可能な媒体と適切に呼ばれる。例えば、ソフトウェアが、同軸ケーブル、光ファイバーケーブル、ツイストペア、デジタル加入者線（ＤＳＬ）、又は赤外線、ラジオ波、マイクロ波等の無線技術を用いてウェブサイト、サーバ、又はその他の遠隔ソースから送信される場合には、同軸ケーブル、光ファイバーケーブル、ツイストペア、ＤＳＬ、又は赤外線、電波、マイクロ波等の無線技術は媒体の定義に含まれる。ここで用いられるようなディスク（disk）及びディスク（disc）は、コンパクトディスク（ＣＤ）、レーザディスク、光学ディスク、デジタル多用途ディスク（ＤＶＤ）、フロッピー（登録商標）ディスク、ブルーレイディスクが含まれ、ここでディスク（disk）は、通常、データを磁気的に再現するのに対して、ディスク（disc）は、レーザを用いてデータを光学的に再現する。以上の組み合わせもまたコンピュータ読み取り可能な媒体の範囲に含まれるべきである。
【００６９】
前述の本開示は、任意の当業者が本開示を作成し又は使用することを可能にするように提供される。本開示に対する種々の変形は当業者には容易に明白となり、ここで定義される一般的な原理が本開示の趣旨又は範囲から逸脱することなく他の変形に適用され得る。このため、本開示は、ここで述べられた例及び設計に限定されることを意図しておらず、ここで開示された原理及び新規な特徴と合致する最も広い範囲と一致すべきである。
【図１】
0005657618.tif 000010
【図２】
0005657618.tif 000011
【図３】
0005657618.tif 000012
【図４】
0005657618.tif 000013
【図５】
0005657618.tif 000014
【図６】
0005657618.tif 000015
【図７】
0005657618.tif 000016
【図８】
0005657618.tif 000017
【図９】
0005657618.tif 000018
【図１０】
0005657618.tif 000019